【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
時間軸上に連続的に又は不連続に設定された時間範囲に対応したセグメント毎に質量分析の測定条件を設定可能としたクロマトグラフ四重極型質量分析装置により繰り返し収集されたデータを処理しクロマトグラムを作成するクロマトグラフ質量分析用データ処理装置において、
a)前記セグメント毎に質量分析の測定条件として設定されたパラメータ値を記憶しておく記憶手段と、
b)２つのセグメントが連続的であるときに該２つのセグメントに対応する所定のパラメータ値を前記記憶手段より取得し、それら所定のパラメータ値が一致するか否かを判定する判定手段と、
c)該判定手段により所定のパラメータ値が一致していると判定された場合に、前記２つのセグメントのそれぞれにおいて対応する測定条件の下に収集されたデータに基づく部分クロマトグラムを、その２つのセグメントの境界で連結させたクロマトグラムを作成するクロマトグラム作成処理手段と、
を備えることを特徴とするクロマトグラフ質量分析用データ処理装置。
【請求項２】
請求項１に記載のクロマトグラフ質量分析用データ処理装置であって、
前記記憶手段は、前記セグメント毎に質量分析の測定条件として設定された測定モードとパラメータ値とを記憶しておき、前記判定手段は、前記２つのセグメントに対応する測定モードと所定のパラメータ値とがそれぞれ一致するか否か判定し、前記クロマトグラム作成処理手段は、測定モードが一致し且つパラメータ値が一致している場合に、部分クロマトグラムの連結を行うことを特徴とするクロマトグラフ質量分析用データ処理装置。
【請求項３】
請求項１に記載のクロマトグラフ質量分析用データ処理装置であって、
クロマトグラムを表示させたい質量電荷比若しくは質量電荷比範囲又は測定対象化合物を分析者が指示するための指示手段をさらに備え、
前記判定手段は、前記２つのセグメントに対応する所定のパラメータ値が一致するか否か判定するほか、該２つのセグメントに対し前記指示手段を介してそれぞれ指示された表示上の質量電荷比若しくは質量電荷比範囲又は測定対象化合物が一致しているか否かを判定し、前記クロマトグラム作成処理手段は、パラメータ値が一致し且つ表示上の質量電荷比若しくは質量電荷比範囲又は測定対象化合物が一致している場合に、部分クロマトグラムの連結を行うことを特徴とするクロマトグラフ質量分析用データ処理装置。
【請求項４】
請求項１〜３のいずれかに記載のクロマトグラフ質量分析用データ処理装置であって、
前記クロマトグラフ四重極型質量分析装置は、コリジョンセルを挟んで前段四重極マスフィルタと後段四重極マスフィルタとを具備するクロマトグラフタンデム四重極型質量分析装置であり、
前記所定のパラメータ値は、前段四重極マスフィルタでイオンを質量電荷比に応じて選別しコリジョンセル内でのイオンの解離及び後段四重極マスフィルタでのイオンの選別を行わないＱ１ＳＩＭ測定モード、前段四重極マスフィルタでのイオンの選別及びコリジョンセル内でのイオンの解離を行わずに後段四重極マスフィルタでイオンを質量電荷比に応じて選別するＱ３ＳＩＭ測定モード、又は、前段四重極マスフィルタでイオンを質量電荷比に応じて選別し選別されたイオンをコリジョンセル内で解離させ、それにより生成されたプロダクトイオンを後段四重極マスフィルタで質量電荷比に応じて選別するＭＲＭ測定モードのいずれかにおいて、四重極マスフィルタで選別されるイオンの質量電荷比の値であることを特徴とするクロマトグラフ質量分析用データ処理装置。
【請求項５】
請求項１〜３のいずれかに記載のクロマトグラフ質量分析用データ処理装置であって、
前記クロマトグラフ四重極型質量分析装置は、コリジョンセルを挟んで前段四重極マスフィルタと後段四重極マスフィルタとを具備するクロマトグラフタンデム四重極型質量分析装置であり、前記所定のパラメータ値は、プリカーサイオンスキャン測定モードにおいて後段四重極マスフィルタで選別されるイオンの質量電荷比の値であることを特徴とするクロマトグラフ質量分析用データ処理装置。
【請求項６】
請求項１〜３のいずれかに記載のクロマトグラフ質量分析用データ処理装置であって、
前記クロマトグラフ四重極型質量分析装置は、コリジョンセルを挟んで前段四重極マスフィルタと後段四重極マスフィルタとを具備するクロマトグラフタンデム四重極型質量分析装置であり、前記所定のパラメータ値は、プロダクトイオンスキャン測定モードにおいて前段四重極マスフィルタで選別されるイオンの質量電荷比の値であることを特徴とするクロマトグラフ質量分析用データ処理装置。
【請求項７】
請求項１〜３のいずれかに記載のクロマトグラフ質量分析用データ処理装置であって、
前記クロマトグラフ四重極型質量分析装置は、コリジョンセルを挟んで前段四重極マスフィルタと後段四重極マスフィルタとを具備するクロマトグラフタンデム四重極型質量分析装置であり、前記所定のパラメータ値は、ニュートラルロススキャン測定モードにおいて前段四重極マスフィルタで選別されるイオンの質量電荷比と後段四重極マスフィルタで選別されるイオンの質量電荷比との差であるニュートラルロスの値であることを特徴とするクロマトグラフ質量分析用データ処理装置。
【請求項８】
請求項１〜３のいずれかに記載のクロマトグラフ質量分析用データ処理装置であって、
前記所定のパラメータ値は、前記クロマトグラフ四重極型質量分析装置に備えられた四重極マスフィルタで所定の質量電荷比範囲に亘る質量走査が実行される測定モードにおいてその質量電荷比範囲であることを特徴とするクロマトグラフ質量分析用データ処理装置。
【請求項９】
請求項１〜３のいずれかに記載のクロマトグラフ質量分析用データ処理装置であって、
前記所定のパラメータ値は、前記クロマトグラフ四重極型質量分析装置に備えられた四重極マスフィルタで１乃至複数の質量電荷比を順次設定して測定を行うＳＩＭ測定モードにおいてその測定対象の質量電荷比であることを特徴とするクロマトグラフ質量分析用データ処理装置。
【手続補正２】
【補正対象書類名】明細書
【補正対象項目名】００２４
【補正方法】変更
【補正の内容】
【００２４】
この構成によれば、分析者が着目している測定対象化合物に対応したクロマトグラムピークが複数のセグメントに跨っている場合でも、その測定対象化合物に対応したクロマトグラムピークが、ピークの始点から終点まで途切れのない状態で表示されるようにすることができる。
【手続補正３】
【補正対象書類名】明細書
【補正対象項目名】００４１
【補正方法】変更
【補正の内容】
【００４１】
例えば図３（ａ）中のＭＲＭ測定モードに対応している２つのイベント（イベント番号１及び２）がセグメント１及び２に対し設定されていた場合には、時刻ｔ1〜ｔ2の間（セグメント１）は、プリカーサイオンの質量電荷比が３００、プロダクトイオンの質量電荷比が２００であるイベント１によるＭＲＭ測定と、プリカーサイオンの質量電荷比が２００、プロダクトイオンの質量電荷比が１００であるイベント２によるＭＲＭ測定とが、交互に繰り返され、それぞれのＭＲＭ測定時のイオン強度がイオン検出器３７により検出される。セグメント１とセグメント２との境界である時刻ｔ2を過ぎると、その時刻ｔ2から時刻ｔ3までの間（セグメント２）は、プリカーサイオンの質量電荷比が３００、プロダクトイオンの質量電荷比が１５０であるイベント１によるＭＲＭ測定と、プリカーサイオンの質量電荷比が３００、プロダクトイオンの質量電荷比が２００であるイベント２によるＭＲＭ測定とが、交互に繰り返され、それぞれのＭＲＭ測定時のイオン強度がイオン検出器３７により検出される。
こうして測定終了時点まで、設定されているセグメント及びイベントに従った測定が実施され、イオン検出器３７で得られたイオン強度をデジタル化したデータが測定データ記憶部４１に保存される。
【手続補正４】
【補正対象書類名】明細書
【補正対象項目名】００４５
【補正方法】変更
【補正の内容】
【００４５】
ステップＳ２で上記条件を満たす境界が少なくとも１つあると判定されると、次に、１つの境界を挟んだ共通の測定モードが何であるかが判定され（ステップＳ３）、その判定結果に応じて、ステップＳ４〜Ｓ１０のいずれかに進む。即ち、共通の測定モードがＱ１ＳＩＭ測定モードであると識別されると、上記１つの境界を挟んだ２つのセグメントにそれぞれ設定されているイベントにおいて、前段四重極マスフィルタ３３で選別される質量電荷比が一致しているか否かが判定される（ステップＳ４）。また、共通の測定モードがＱ３ＳＩＭ測定モードであると識別されると、上記１つの境界を挟んだ２つのセグメントにそれぞれ設定されているイベントにおいて、後段四重極マスフィルタ３６で選別される質量電荷比が一致しているか否かが判定される（ステップＳ５）。また、共通の測定モードがＭＲＭ測定モードであると識別されると、上記１つの境界を挟んだ２つのセグメントにそれぞれ設定されているイベントにおいて、前段四重極マスフィルタ３３で選別される質量電荷比と後段四重極マスフィルタ３６で選別される質量電荷比とが共に一致しているか否かが判定される（ステップＳ６）。
【手続補正５】
【補正対象書類名】明細書
【補正対象項目名】００５３
【補正方法】変更
【補正の内容】
【００５３】
また、時刻ｔ2である境界を挟んで連続するセグメント１とセグメント２とにおいて、いずれも測定モードが図３（ａ）に示すようなパラメータ値を与えられたＱ１ＳＩＭ測定モードである場合、m/z３００である質量電荷比と、m/z２００である質量電荷比とがそれぞれ境界を挟んで一致している。したがって、セグメント１のイベント２に従った測定で収集された質量分析データに基づく部分クロマトグラムと、セグメント２のイベント３に従った測定で収集された質量分析データに基づく部分クロマトグラムとが、上述したような直線補間により連結されることになる。また、セグメント１のイベント３に従った測定で収集された質量分析データに基づく部分クロマトグラムと、セグメント２のイベント２に従った測定で収集された質量分析データに基づく部分クロマトグラムとが、上述したような直線補間により連結される。
【手続補正６】
【補正対象書類名】図面
【補正対象項目名】図３
【補正方法】変更
【補正の内容】
【図３】
2013228295.tif 000001